(57)【要約】【課題】通帳紙質に応じたインク射出量を制御し、高品質の印字を行う。【解決手段】通帳にテスト印字を行い、その印字の濃度、にじみを測定することで、用紙のインク吸収特性を判定し、その吸収特性に応じてインク射出量を制御する。【選択図】  図２
2004314404.tif 000002
【特許請求の範囲】
【請求項１】
銀行等で使用する通帳にインクジェット方式により印字する通帳類取り扱い装置において、装置に挿入された通帳に印刷を行う手段と、その印刷の測定結果により挿入された通帳中紙のインク吸収特性を判定する手段と、判定結果を通帳の磁気ストライプ情報に記録する手段とを備えたことを特徴とする通帳類取り扱い装置。
【請求項２】
銀行等で使用する通帳にインクジェット方式により印字する通帳類取り扱い装置において、装置に挿入された通帳に印刷を行う手段と、その印刷の測定結果により挿入された通帳中紙のインク吸収特性を判定する手段と、判定結果を通帳紙面にバーコード等の光学パターンとして記録する手段とを備えたことを特徴とする通帳類取り扱い装置。
【請求項３】
判定されたインク吸収特性に基づき、インクの射出量を制御することを特徴とする請求項１または２記載の通帳類取り扱い装置。
【請求項４】
インク吸収特性を測定するための印刷を行う際に、挿入された頁から逆頁めくりを行い既印字頁にテスト印刷を行うことを特徴とする請求項１または２記載の通帳類取り扱い装置。
【請求項５】
インク吸収特性判定のために印刷の印刷面のインクドット面積およびインク濃度の測定後、頁めくりを行い印刷面裏側のインク濃度の測定を行うことを特徴とする請求項１または２記載の通帳類取り扱い装置。
【請求項６】
次回取引時には記録されたインク吸収特性に関する情報を読み取り、それに基づきインクの射出量を制御することを特徴とする請求項１または２記載の通帳類取り扱い装置。
【発明の詳細な説明】
【０００１】
【発明の属する技術分野】
本発明は、金融関係他の通帳類取り扱い装置に関するものである。
【０００２】
【従来の技術】
従来銀行等で使用する通帳類取り扱い装置における印字ヘッドはドットインパクト方式が主流であったが、近年、印字速度の高速化、印字（印刷）のフルカラー化によるサービス向上が求められるようになりインクジェット方式による印字が必要とされることになった。インクジェット方式は印字対象物（通帳等媒体）の紙質によりインク吸収特性が異なり、インクにじみ、インク濃度という印字特性に影響するという問題がある。このため、インクジェット方式で印字する場合には表面に塗工層を塗布したインクジェット専用紙を使用することで、印字品質を保証している。
【０００３】
しかし、通帳の中紙はそのような専用紙では作成されておらず、また、通帳作成メーカによって使用している紙も異なるため、通帳によって印字特性が異なるという問題点がある。
【０００４】
複数種の記録媒体に対応するインクジェット記録装置としては、媒体の反射率から該媒体の種類を判定する技術および記録媒体の一部に記録を行いその記録結果から記録媒体の種類を判定する技術が、特開２００１−２１９５５１号公報で報告されている。
【０００５】
【特許文献１】
特開２００１−２１９５５１号公報
【０００６】
【発明が解決しようとする課題】
上記、従来技術は判別した記録媒体の紙の種類を該記録媒体に記録することは実施されていない。このため通帳のように繰り返し使用される媒体に対しては装置での取り扱いのたびに紙の種類を判定することになり、処理速度が毎回遅くなるという問題がある。
【０００７】
また、上記従来技術ではインク濃度等測定は印刷面からのみ実施しているが、通帳のように冊子状になった媒体では前の頁に印字したインクが紙に浸透して次の頁（今回取引で印字しようとしている頁）に透けて見え、行判定に影響することがあるため、インクの透過度について測定する必要がある。
【０００８】
本発明の目的は、通帳用紙のインク吸収特性を測定し、その通帳用紙のインク吸収特性に応じたインク射出量を制御することで高品質の印字を実現できる装置を提供することにある。
【０００９】
また、前記通帳用紙のインク吸収特性を媒体情報として通帳に記録しておき、次回取引時には該媒体情報を読み取り、その情報に基づきインク射出量を制御することで高品質の印字を実現できる装置を提供することにある。
【００１０】
【課題を解決するための手段】
上記目的を達成するため、本発明の通帳類取り扱い装置は、装置に挿入された通帳用紙のインク特性を検知する検知手段を具え、検知結果からその通帳用紙のインク特性に基づき、最適なインク射出量を制御することを特徴とする。
【００１１】
上記目的を達成するため、本発明の通帳類取り扱い装置は、前記通帳用紙のインク特性を媒体情報として通帳に記録する記録手段を具え、前記媒体情報を読み取る読取手段具え、読み取った媒体情報に基づき、最適なインク射出量を制御することを特徴とする。
【００１２】
【発明の実施の形態】
以下に本発明の一実施例を図面により説明する。
図１は本発明に係る通帳類取り扱い装置の基本構成を表す全体図である。これは通帳類取り扱い装置１の内部構造を模式的に示したものである。この通帳類取り扱い装置１は、銀行などに設置される現金自動取引装置等に搭載される。通帳類取り扱い装置１は通帳等媒体の搬送を行うための搬送路２を備えている。なお、図中では搬送上ガイドは省略した。搬送路２には現金自動取引装置の正面に設けられた図示しない操作パネル側の端面に、通帳等媒体の挿入や取り出しを行うための挿入口３が設けられている。搬送路２は、複数の搬送ローラ４を備えており、この搬送ローラ４が回転することによって通帳等媒体の搬送を行う。搬送ローラ４は、図示しないモータによって駆動される。また搬送路２には、磁気読み書き部５と、光学読み取り部６と、印字部７、頁替部９とが設けられている。
【００１３】
磁気読み書き部５は、通帳等媒体に貼り付けられた磁気ストライプの情報の読み取りおよび書き込みを行う。磁気ストライプの情報には、金融機関番号や口座番号、通帳の種類に関するデータなどが含まれる。光学読み取り部６は搬送方向と垂直方向にスキャン可能となっており、通帳の搬送によって通帳先端から後端までイメージ読み取りができ、通帳等媒体に印刷された頁マーク、印字済行等イメージ読み取りを行う。この読み取り結果に基づいて印字部７が印字すべき行が特定される。
【００１４】
印字部７はインクジェットヘッドにより通帳等媒体に取引明細等処理内容や銀行からのお知らせ等各種サービス内容を印字（印刷）する。インクジェットヘッドは通帳等媒体の搬送方向に対し、垂直方向に往復動作することで通帳等媒体に印字や印刷を行う。挿入された頁の最終行まで印字しても全ての印字が終了していない場合には頁替部９で頁めくりを行う。通帳類取り扱い装置１の各部の動作は、制御ユニット８によって制御される。制御ユニット８は、内部にＣＰＵ、ＲＡＭ、ＲＯＭなどを備えるマイクロコンピュータとして構成されている。なお、図示の煩雑化を避けるため、図中では、制御ユニット８と各部位との結線の図示は省略した。
【００１５】
図２は本発明に係る通帳取り扱い処理の流れを示すフォローチャートである。ユーザによって挿入口３に通帳が挿入されると、制御ユニット８は、搬送ローラ４を駆動して通帳を光学読み取り部６に搬送する。そして、光学読み取り部６によって、通帳に記された頁マークや印字済み行の読み取りを行い、印字すべき行の特定を行う（ステップＳ１００）。次に、通帳を所定の磁気読み書き位置に搬送し、磁気読み書き部５によって、磁気ストライプの磁気データの読み取りを行う（ステップＳ１１０）。次に、読み取った磁気データに通帳用紙のインク吸収特性に関する媒体情報が記録されているかを判定する（ステップＳ１２０）。媒体情報が記録されている場合には、通帳を所定の印字位置に搬送し、前記媒体情報に基づきインクの射出量を制御し、印字部７によって、通帳に取引に関するデータを印字する（ステップＳ１３０）。そして、印字が終了したか否かを判断する（ステップＳ１４０）。印字が終了した場合には、通帳を磁気読み書き位置に搬送し、磁気読み書き部５によって、通帳の磁気ストライプに磁気データを書込み（ステップＳ１５０）、処理済の通帳を挿入口３から返却する（ステップＳ１６０）。ステップＳ１４０において、印字中の頁の最終行印字が終了した時点で、全ての印字が終了していない場合には、次頁に印字する必要があるので頁めくり処理が発生するがここでは省略する。
【００１６】
ステップＳ１２０において、通帳用紙のインク吸収特性に関する媒体情報が記録されていない場合には、テスト印字を行う頁にするために通帳を頁替部９に搬送し、逆頁めくりを行う（ステップＳ１７０）。逆頁めくり処理終了後、通帳を排出方向に搬送し、光学読み取り部６によって、頁マークの読み取りを行い、目的とする頁に正しく逆頁めくりされたか判定する（ステップＳ１８０）。ステップＳ１８０において逆頁めくりに失敗した場合は、リトライ動作が発生するがここでは省略する。
【００１７】
ステップＳ１８０において正しく逆頁めくりできたら、通帳を吸入方向に搬送し、テスト印字を行う領域（通帳最終行下でかつ、頁や科目バーコード検索に影響を与えないところ）に汚れや基準以下の反射率となる印刷がないことを光学読み取り部６によって確認し、テスト印字する場所を決定する（ステップＳ１９０）。ここで汚れチェックを行うのは後述の通りテスト印字の濃度測定は用紙の反射率を測定するからである。次に通帳をテスト印字できる位置に搬送し、ステップＳ１９０で決定した個所にテスト印字を行う（ステップＳ２００）。
【００１８】
テスト印字終了後、通帳を光学読み取り部６へ搬送し、テスト印字のインクの濃度、にじみを測定する（ステップＳ２１０）。
【００１９】
次に、通帳を頁替部９に搬送し、頁めくりを行う（ステップＳ２２０）。頁めくり処理終了後、通帳を排出方向に搬送し、光学読み取り部６によって、頁マークの読み取りを行い、目的とする頁に正しく頁めくりされたか判定する（ステップＳ２３０）ステップＳ２３０において頁めくりに失敗した場合は、リトライ動作が発生するがここでは省略する。
【００２０】
ステップＳ２３０において正しく頁めくりできたら、通帳を吸入方向に搬送し、光学読み取り部６によって、ステップＳ２００でテスト印字した個所のイメージ読み取りを行い、インクの浸透度を判定する（ステップＳ２４０）。
【００２１】
そして、通帳をステップＳ１００で特定した印字行にセットする（ステップＳ２５０）。
【００２２】
制御ユニット８はステップＳ２１０とステップＳ２４０で測定した結果を基に、取り扱い中の通帳中紙のインク吸収特性を判定し、予め制御ユニット８内に保持している制御テーブルの中から適合する制御データを求める（ステップＳ２６０）。この制御データに基づきインクジェットヘッドの制御を行い、通帳に印字を行う。（ステップＳ２７０）  そして、印字が終了したか否かを判断する（ステップＳ２８０）。
【００２３】
印字が終了した場合には、通帳を磁気読み書き位置に搬送し、磁気読み書き部５によって、通帳の磁気ストライプに磁気データを書込む（ステップＳ２９０）。この時、ステップＳ２６０で求めた制御データを通帳用紙のインク吸収特性に関する媒体情報として磁気データに付加する。最後に処理済の通帳を挿入口３から返却する（ステップＳ３００）。以上の処理によって、通帳取り扱い処理は終了する。
【００２４】
次に、テスト印字の測定について説明する。
ここでいう濃度とは、通帳の印字されていない紙面の反射率と印字（インク）の反射率の比から求められる数値のことであり、光学読み取り部６に実装されているイメージセンサで測定することができる。また、イメージセンサは測定物の単位面積当たりの反射量をビット数として測定することができるため、このビット数から制御ユニット８は印字（インク）の面積を求めることができる。
【００２５】
図３に通帳にテスト印字した場合の例を示す。テスト印字１０は直径１ｍｍ程度のインクドットを打ち込み、イメージセンサで前記インクドットを読み取り、読み取ったデータから制御ユニット８はインクドットの濃度（表濃度）と面積を算出する。そして予め基準用紙に印字したインクドットを測定して求め、制御ユニット８に格納してある基準面積との比から通帳用紙のインクのにじみやすさを判定する。続いて、頁めくりを行い、図４に示すように、前記インクドットの濃度測定を裏面（テスト印字１１）から行い（裏濃度）、表濃度と裏濃度の比から通帳用紙のインクの吸収しやすさを判定する。
【００２６】
以上の判定結果から制御ユニット８は取り扱い中の通帳用紙のインク吸収特性を判断し、用紙に最適なインクの射出量を決定し、インクジェットヘッドに対する制御を行うことができ、高品質でかつ印字済み行検索にも悪影響のない印字を実現することができる。
【００２７】
なお、ステップＳ２９０で磁気ストライプ上の磁気データにインク射出量制御データを付加する場合には磁気データの予備エリアを使用するが、磁気データに予備エリアがない場合には、通帳紙面にインク射出量制御データをバーコード等の光学パターンとして印刷することが考えられる。この場合、通帳返却前に最終印字を行った頁に前記制御データを印刷し、次回取引時にはこの光学パターンを読み取って、インク射出量を制御する。そして、頁めくり処理が発生した場合には再度最終印字を行った頁に前記制御データを印刷するという処理を繰り返すことで、対応することができる。
【００２８】
また、本実施形態は装置の制御ユニットで判断するのなく、装置と繋がっているホストコンピュータに読み取った各情報を送信し、ホストコンピュータからの指示に従って、インクジェットヘッドに対する制御を行う形態であっても良い。
【００２９】
以上に述べたように、本実施形態に係るインクジェット方式通帳類取り扱い装置は、装置が判定した通帳用紙のインク吸収特性に基づいたインク射出量の制御を行うことにより、複数種類の通帳、特にインクジェット印字に未対応な用紙を使用した通帳に対し、最適の印字を行うことができる。
【００３０】
また、通帳用紙のインク吸収特性をテスト印字する頁は既に全行印字済頁であるので、テスト印字を行ってもユーザに対して見栄え等で不都合となることはなく、さらにインクの吸収特性を表面（印字した面）と裏面の両方から測定することで、より通帳の使用実態に合ったインク吸収特性を判定することができる。
【００３１】
【発明の効果】
本発明によれば、複数種類の通帳、特にインクジェット印字に未対応な用紙を使用した通帳に対し、好適な印字を行うことができる。
【図面の簡単な説明】
【図１】本発明の一実施例における通帳取り扱い装置の概略を示す構成図。
【図２】本発明の一実施例における制御フローチャートを示す図。
【図３】本発明の一実施例におけるテスト印字した通帳の例を示す図。
【図４】本発明の一実施例におけるテスト印字ページの裏面を表した通帳の例を示す図。
【符号の説明】
１…通帳類取り扱い装置
２…搬送路
３…挿入口
４…搬送ローラ
５…磁気読み書き部
６…光学読み取り部
７…印字部
８…制御ユニット
９…頁替部
【図１】
2004314404.tif 000003
【図２】
2004314404.tif 000004
【図３】
2004314404.tif 000005
【図４】
2004314404.tif 000006